(57)【要約】【課題】パーソナルケア製品（例えば化粧品）を塗布するために用いられるように構成され、皮膚に塗布される直前に素早くかつ十分に冷却する装置を提供する。【解決手段】パーソナルケア製品用の可搬式冷蔵装置であって、前記熱電素子（１）と、単一用量の製品を前記熱電素子と熱接触（２、２０、３１）させて冷却する手段とを含む可搬式冷蔵装置である。【選択図】  図２
2009507204.tif 000002
【特許請求の範囲】
【請求項１】
パーソナルケア製品用の可搬式冷蔵装置であって、
少なくとも１つの熱電素子（１、１ａ）と、
前記熱電素子で冷却される単一用量の製品を熱接触（２、２０、３１）させる手段とを含む可搬式冷蔵装置。
【請求項２】
前記熱接触させる手段は、前記熱電素子による冷却に適した製品（２）を受けるプレートを含むことを特徴とする、請求項１に記載の可搬式冷蔵装置。
【請求項３】
前記熱電素子（１）は、プレート（２）の少なくとも１つの領域（３）を２分未満で５℃未満の温度に冷却することに適していることを特徴とする、請求項２に記載の可搬式冷蔵装置。
【請求項４】
前記熱接触させる手段は、前記熱電素子に対して前記単一用量の製品を収容する容器（２１、５１）を押圧する手段（２０、３１）を含むことを特徴とする、請求項１に記載の可搬式冷蔵装置。
【請求項５】
前記熱電素子（１）は、前記容器（２１）の前記単一用量の製品を２分未満で５℃未満の温度に冷却することに適していることを特徴とする、請求項４に記載の可搬式冷蔵装置。
【請求項６】
前記熱電素子（１）の冷面に配置されるアダプタプレート（４）を含むことを特徴とする、請求項１〜５のいずれか１項に記載の可搬式冷蔵装置。
【請求項７】
前記アダプタプレート（４）は、温度センサ（９）を含むことを特徴とする、請求項６に記載の可搬式冷蔵装置。
【請求項８】
前記熱電素子（１）によって生成される熱を除去する熱除去用アセンブリ（５、６）を含むことを特徴とする、請求項１〜７のいずれか１項に記載の可搬式冷蔵装置。
【請求項９】
前記熱除去用アセンブリは、冷却素子の熱表面との接触面を形成するプレートに接続されるフィンを含むラジエータ（５）と、
前記フィンを換気することに適したファン（６）とを含むことを特徴とする、請求項８に記載の可搬式冷蔵装置。
【請求項１０】
前記熱除去用アセンブリは、前記冷却素子の熱表面との接触面を形成するプレートからなる蓄積型のヒートシンクを含むことを特徴とする、請求項８に記載の可搬式冷蔵装置。
【請求項１１】
前記熱電素子（１）に接続される充電式電池電源装置（７）を含むことを特徴とする、請求項１〜１０のいずれか１項に記載の可搬式冷蔵装置。
【請求項１２】
前記熱電素子（１）を流れる電流を調節することに適した制御手段（８、８’、８ａ）を含むことを特徴とする、請求項１〜１１のいずれか１項に記載の可搬式冷蔵装置。
【請求項１３】
前記熱電素子（１）を受けるケース（１０）と、冷却される前記単一用量の製品との熱接触領域の温度を示す要素（１２）を含む蓋（１１）とをさらに含むことを特徴とする、請求項１〜１２のいずれか１項に記載の可搬式冷蔵装置。
【請求項１４】
前記押圧する手段（２０）は、前記容器（２１）に圧力をかけることに適した可動式プレート（２２）を含むことを特徴とする、請求項４〜１３のいずれか１項に記載の可搬式冷蔵装置。
【請求項１５】
前記可動式プレート（２２）は、それ自体の重量によって前記容器（２１）に圧力かけることに適していることを特徴とする、請求項１４に記載の可搬式冷蔵装置。
【請求項１６】
前記可動式プレートは、ばね（３１）の動作によって前記容器（２１）に圧力をかけることに適していることを特徴とする、請求項１４に記載の可搬式冷蔵装置。
【請求項１７】
前記熱電素子（１）から前記押圧する手段（２０）を移動させて離すことに適したレバー（３０）をさらに含むことを特徴とする、請求項１６に記載の可搬式冷蔵装置。
【請求項１８】
前記押圧する手段（２０）は、前記可動式プレート（２２）の下に絶縁層（２３）をさらに含むことを特徴とする、請求項１４〜１７のいずれか１項に記載の可搬式冷蔵装置。
【請求項１９】
前記押圧する手段（２０）は、前記容器（２１）と接触して配置されることに適した温度センサ（１３）をさらに含むことを特徴とする、請求項１４〜１８のいずれか１項に記載の可搬式冷蔵装置。
【請求項２０】
前記押圧する手段（２０）は、前記容器（２１）と接触して配置されることに適した伝導プレート（２４）をさらに含むことを特徴とする、請求項１４〜１９のいずれか１項に記載の可搬式冷蔵装置。
【請求項２１】
前記押圧する手段（２０）は、第２の熱電素子（１ａ）をさらに含むことを特徴とする、請求項４〜２０のいずれか１項に記載の可搬式冷蔵装置。
【請求項２２】
請求項１〜２１のいずれか１項に記載の可搬式冷蔵装置と、冷却される単一用量のパーソナルケア製品を収容する柔軟性容器（２１）との組み合わせであって、
前記容器は、前記装置の少なくとも１つの前記熱電素子（１、１ａ）に対して押圧される製品（２６）の袋部を含む組み合わせ。
【請求項２３】
前記容器（２１）の前記袋部（２６）は、請求項１４から２１のいずれか１項に記載の冷却装置の前記押圧する手段（２０、３１）によって押圧される、請求項２２に記載の組み合わせ。
【請求項２４】
前記容器（２１）は、前記袋部（２６）の延長部にある首部（２７）を含み、前記首部は、前記押圧する手段の外側で保持される請求項２３に記載の組み合わせ。
【請求項２５】
前記首部（２７）は、前記袋部を前記押圧する手段によって前記熱電素子に対して押圧するように保持すると同時に、前記袋部（２６）からパーソナルケア製品を取り出すために切られるまたは破られる、請求項２４に記載の組み合わせ。
【請求項２６】
前記容器（２１）は、前記冷却装置の少なくとも１つのピン（４１）と協同する少なくとも１つのロケータ（４０）を含む、請求項２２〜２５のいずれか１項に記載の組み合わせ。
【請求項２７】
請求項６〜２１のいずれか１項に記載の可搬式冷蔵装置と、単一用量の冷却されるパーソナルケア製品を収容する金属管（５１）の形状である容器の組み合わせであって、
前記金属管は、ストッパー（５２）によって密閉される第１の端部と、ピストン（５３）によって密閉される第２の端部を有し、
前記可搬式冷蔵装置の前記アダプタプレート（４）の凹部に配置される組み合わせ。
【請求項２８】
前記金属管（５１）は、請求項１４から２１のいずれか１項に記載の冷却装置の前記押圧する手段（２０、３１）によって押圧される、請求項２７に記載の組み合わせ。
【請求項２９】
前記可搬式冷蔵装置は、前記ピストン（５３）を作動することに適した可動式ロッドをさらに含む、請求項２７または２８に記載の組み合わせ。
【請求項３０】
２つの熱融着された柔軟性シートを含み、
請求項１〜２１のいずれか１項に記載の装置によって冷却される単一用量のパーソナルケア製品を収容する袋部（２６）と、
前記袋部の延長部へ延びる首部（２７）と、
熱融着された柔軟性シートを貫通する穴によって構成され、前記首部（２７）の片側に位置する少なくとも１つのロケータ（４０）を区切る柔軟性容器。
【請求項３１】
前記熱融着された柔軟性シートの少なくとも１つの端部に少なくとも１つのノッチ（２８）を含み、前記ノッチ（２８）の延長部が前記首部（２７）を切る、請求項３０に記載の柔軟性容器。
【請求項３２】
請求項４〜２１のいずれか１項に記載の装置によって冷却される単一用量のパーソナルケア製品を収容する金属管の形状である容器（５１）であって、
前記金属管は、ストッパー（５２）によって密閉される第１の端部と、ピストン（５３）によって密閉される第２の端部を有する容器。
【請求項３３】
前記金属管は、回転対称であり、０．４ｍｍより厚い壁面を有する本体を含む、請求項３２に記載の容器。
【請求項３４】
単一用量のパーソナルケア製品を冷却する方法であって、
ａ）請求項１〜２１のいずれか１項に記載の冷却装置の熱電素子（１）と熱接触させて前記単一用量のパーソナルケア製品を配置する段階と、
ｂ）前記熱電素子（１）を作動する段階と、
ｃ）冷却された前記製品を収集して、処置される領域に塗布する段階とを含む方法。
【請求項３５】
前記ａ）は、前記単一用量のパーソナルケア製品を前記装置の受取プレート（２）に展開することを含む、請求項３４に記載の方法。
【請求項３６】
前記単一用量のパーソナルケア製品は、容器（２１、５１）に含まれ、前記ａ）は、請求項１４〜２１のいずれか１項に記載の装置の熱電素子（１）と押圧する手段（２０、３１）との間に容器（２１）を挿入することを含む、請求項３４に記載の方法。
【請求項３７】
前記熱電素子（１）が作動する間に前記押圧する手段（２０、３１）を作動することと、
前記容器（２１、５１）を開けて冷却された製品を収集することからなる段階をさらに含む、請求項３６に記載の方法。
【請求項３８】
前記押圧する手段を作動することと、前記熱電素子を動作させることを含む段階は、前記容器を開ける段階にまでおよぶ、請求項３７に記載の方法。
【請求項３９】
前記容器は、請求項３０または３１に記載の柔軟性容器（２１）であり、
前記ａ）は、前記容器（２１）のロケータ（４０）を前記冷却装置のピン（４１）に配置することからなり、
前記容器を開ける段階は、前記容器の首部（２７）を切るまたは破ることを含む、請求項３６〜３８のいずれか１項に記載の方法。
【発明の詳細な説明】
【技術分野】
【０００１】
本発明は、冷蔵装置の分野に関し、詳しくはパーソナルケア製品用の可搬式冷蔵装置に関する。特定のパーソナルケア製品（例えば化粧品または医薬品）は、有効性を完全に維持するために冷却する必要がある。
【背景技術】
【０００２】
したがって、ＳＡＭＳＵＮＧ（登録商標）社は、特に化粧品用に設けられる寸法が小さい冷蔵庫を提案し、例えばバスルームで設置することが意図されている。かかる装置は、米国特許出願第２００３／００８４６７０号明細書に記載されている。冷却冷蔵される製品は、格納チャンバに配置され、その容積は、ダブルベースの格納チャンバ内の熱交換器に接続される熱電素子によって冷却される。電子ユニットは、測温体によって得られる情報と、使用者によって入力されるパラメータに応じて得られる情報に基づいて熱電素子を制御する。
【０００３】
しかしながら、かかる装置は比較的大きい。さらに、米国特許出願第２００３／００８４６７０号明細書に記載されている冷蔵庫は、パーソナルケア製品を冷蔵しつづけるが、素早く冷却することができない。現在、特定のパーソナルケア製品は、冷却効果によって、つまり、使用直前に十分かつ素早く冷却される際に活性化される有効成分を有する。
【０００４】
さらに、米国特許第４５８７８１０号から、角氷を作成する装置は公知であり、その装置は、壁面に固定する構造に一体化される絶縁ハウジングを含む。この装置は、例えばホテルの部屋に配置される。絶縁ハウジングの基盤は角氷のバッグを受けるトレイを含み、６つの熱電素子が２列でトレイの下に配置される。このように、角氷をほぼ３０分で生成することができる。かかる装置は固定され、角氷の製造が相対的に迅速であるにもかかわらず、冷却効果を製品に与えることができない。実際、熱冷によってほぼ数分で十分かつ急速に冷却される。
【０００５】
Ｉｃｅ−Ｓｏｕｒｃｅ（登録商標）という名で市販される化粧品を例として参照することができ、その説明はウェブサイトｗｗｗ．ｉｃｅｓｏｕｒｃｅ．ｃｏｍに記載されている。この製品は、使用直前の化粧品を十分かつ素早く冷却できる自冷容器に収容される。しかしながら、現在市販されている容器は、使い捨てであり、その中身全体を１回のみ冷却する。したがって、その容器は、少量のサンプルや複数用量のさまざまな製品を冷却することができない。
【０００６】
さらに、化粧品の自冷容器は、米国特許出願第２００５／０００５６２８号から公知である。この容器は、化粧品のリザーバに接続される冷蔵管を含み、製品取り出し口を介して取り出すことができる。この管は、加圧ガスのリザーバに接続される冷却チャネルに囲まれている。化粧品取り出し管を囲むチャネルに沿ってガスが膨張することによって、冷却が確実に実施される。したがって、この容器は、使用直前に少量の製品を急冷できるが、使用されているガス（ＣＦＣ）は、生態学上の理由から欧州および米国の基準によって禁止されている。他のガス（ＣＯ２またはブタンガスなど）の使用は、例えばＣＯ２は超高圧を必要とし、ブタンガスは極めて引火しやすいといった安全上の理由から現在許容されていない。さらに、米国特許出願第２００５／０００５６２８号明細書に記載されている容器は、さまざまな製品のサンプルを冷却することができない。
【発明の開示】
【発明が解決しようとする課題】
【０００７】
したがって、通常数ｍｌを５分未満で冷却するといった複数用量のパーソナルケア製品を用量単位で素早くかつ繰り返し冷却することができ、小型かつ環境に無害の冷却装置が必要とされている。
【課題を解決するための手段】
【０００８】
この目的のため、本発明は、熱電素子と、熱電素子と単一用量のパーソナルケア製品とを熱接触させる手段を含む可搬式装置の使用を提案する。
【０００９】
本発明の装置の熱電素子は、米国特許出願第２００３／００８４６７０号明細書に記載される冷蔵庫のように、容器の容積全体を冷却するのでなく、製品を直接冷却する。したがって、本発明の装置は、容器内で化粧品を冷蔵しつづけるのでなく、使用前に単一用量の製品に直接冷却効果を直接与えることができる。
【００１０】
実施形態によれば、熱電素子と単一用量のパーソナルケア製品とを熱接触させる手段は、製品を受けるプレートであり、製品が展開され、熱電素子によって冷却するのに適したプレートまたは製品を収容する容器を熱電素子に対して押圧する手段を含む。
【００１１】
また、本発明は、本発明による装置および冷却される単一用量のパーソナルケア製品を収容する容器の組み合わせを提案する。かかる容器は、装置の熱電素子に対して例えば装置の押圧する手段によって押圧される製品の袋部または管を含むことができる。
【００１２】
したがって、装置は、複数用量のさまざまな製品を別々かつ連続して冷却することができ、製品は、装置の熱電素子に対して押圧される容器に単一用量ごとに入れることができる。
【００１３】
本発明は、２つの熱融着された柔軟性シートを含み、本発明による装置によって冷却される単一用量のパーソナルケア製品を収容する袋部を区切り、首部が袋部の延長部に延びている柔軟性容器にも関する。また、前記柔軟性容器は、熱融着された柔軟性シートを貫通する孔によって構成され、首部の片側に位置する少なくとも１つのロケータを含む。
【００１４】
本発明は、本発明による装置によって冷却される単一用量のパーソナルケア製品を収容する金属チューブの形状である容器であって、その管は、ストッパーによって密閉される第１の端部と、ピストンによって密閉される第２の端部を有する容器にも関する。
【００１５】
本発明は、単一用量のパーソナルケア製品を冷却する方法であって、本発明による冷却装置の熱電素子で単一用量の製品を熱接触させて配置させる段階と、熱電素子を作動する段階と、冷却された製品を収集し、処置される領域に塗布する段階とを有する方法にも関する。
【００１６】
本発明の他の特徴および効果は、例証を鑑み、添付の図面を参照して、以下の本発明の実施形態の説明によって明らかになる。
【発明を実施するための最良の形態】
【００１７】
以下の説明で、「伝導」、「絶縁」および「接触している」という用語は熱伝導に関し、「上記」および「下記」という用語は、添付の図を参照して使用される。
【００１８】
本発明による装置の第１の実施形態を、図１〜３に示す。
【００１９】
図１では、装置が、ケース１０および上方に開く蓋１１を有する箱に類似していることを示している。ケース１０の制限された空間要件を有し、ほぼ２５０×２００×１００ｍｍ３である。ケース１０の上壁面は、冷却されるパーソナルケア製品を受けるプレート２を含む。マーク３（実質的にプレート２の中央に位置している）は、装置を操作する間のプレート２の最も冷却された領域に位置する。したがって、冷却される単一用量の製品は、プレート２上のマーク領域３で展開される。
【００２０】
また、図１にコントロールボタン８を示し、例えばケースの前壁面に位置している。このコントロールボタン８は、単純なオン−オフスイッチまたは調節ボタンであってよい。
【００２１】
装置を使用しないときは、製品２を受けるプレートを保護するために蓋１１を閉じることができ、装置の空間要件を制限し、持ち運びしやすくなる。装置を使用するときは、冷却されるパーソナルケア製品を展開するためにプレート２へ利用できるように、蓋１１は上方に開く。特に冷却される製品が化粧品である場合、蓋１１の内面には鏡を設けてもよい。
【００２２】
製品２を受けるプレートのマーク領域３の温度を示す素子１２は、装置（例えば視認性をよくするための蓋１１）に一体化させてもよい。温度表示素子１２は、一連のプレート２の温度に応じて発光または消失する発光ダイオードを含むグラフィックバー型でもよい。ダイオードは装置内に配置される電子制御回路に電気接続されることが以下に記載され、この接続は、蓋１１のヒンジを通してもよい。
【００２３】
図２は、この第１の実施形態による上方に開く蓋１１を有する冷蔵装置の横断面を示す。したがって、図２は、本発明の第１の実施形態による装置のケース１０の中身を示す。熱電素子１は、プレート２の下に設置され、図１に示すマーク３のおおよその位置に配置される。したがって、プレート２は、冷却される単一用量の製品を熱電素子１と熱接触させる手段からなる。
【００２４】
熱電素子１は、電子制御回路８ａおよび充電式電池型（例えばラップトップコンピュータ用電池）などの電源装置７に接続している。本発明による装置に関しては、９Ｖおよび４Ａでほぼ４０Ｗの電源装置７が適切である。したがって、本発明による装置は、その限られた寸法によって可搬式であり、主電源またはその電池７から供給できるため、ある程度の独立性を有している。
【００２５】
熱電素子１は、素子に電流が流れると冷面および熱表面を有するペルチェ電池であってよく、温度差は電池を流れる電流量に応じて生じる。ペルチェ電池の冷面は、冷却される製品を受けるプレート２と接触しており、電池の熱表面は、ファン６または蓄積型のヒートシンク（例えば水のリザーバ）と組み合わせたラジエータ５などの熱除去用アセンブリに配置される。図３は、考えられる実施形態による冷蔵素子１および熱除去用アセンブリ５、６をさらに詳細に示す。
【００２６】
また、図２には、プレート２の冷却を開始するコントロールボタン８を示す。このボタン８は、温度を測定する例えばサーミスタ型のセンサ９からの情報を用いて熱電素子１を流れる電流量を調節する電子回路８ａを制御する簡単なスイッチであってよい。また、この電子回路８ａは、温度センサ９からの情報を用いて、図１を参照して記載される温度表示素子１２を制御してもよい。電子回路８ａは、数分後に自動的に冷却を停止するタイムアウトを含んでもよい。
【００２７】
また、図２には、ペルチェ電池１の冷面と製品を受けるプレート２との間に位置する中板４を示す。洗浄および熱放散の制限がしやすいことから、製品２を受けるプレートは、好ましくはステンレス鋼製である。実際、プレート上に展開されるパーソナルケア製品に冷却効果を確実に与えるために、プレート２の特定の領域を十分かつ素早く冷却しようとするためのものであることから、プレートの表面全体のあらゆる熱損失を回避することが望ましい。この目的のため、極めて薄い（例えば厚さ０．５ｍｍ）ステンレス鋼がプレート２の作製に選択される。ステンレス鋼の熱伝導率は低く、ペルチェ電池１からプレート２に伝わる冷熱は、プレート中にわずかに伝導されるのみである。製品２を受けるプレートの優れた熱安定性を確実にするため、ペルチェ電池１の冷面と製品を受けるプレート２との間に位置するアダプタプレート４（例えば厚さ６ｍｍのアルミニウム）を導入することを提案する。このアダプタプレート４は、一定の熱慣性を確実にし、電子回路８ａに接続される温度センサ９を一体化してもよい。したがって、プレート２（マーク３の位置にある）で最も冷却された領域は、アダプタプレート４の上の領域に対応する。
【００２８】
ケース１０は、プラスチック、木または他のあらゆる熱絶縁材から作製される。ケース１０は、製品２を受けるプレートを支持する上壁面を有してもよく、ケースの１つの外装壁面のみからなる。実際、このプレート２は、上記のようにステンレス鋼製である場合、極めて薄いため、使用者が製品を展開するか、収集する際にそのプレートを変形させることができる。次に、ケースの上壁面は、製品２を受けるプレートに直接熱接触できるように、アダプタプレート４よりわずかに大きい寸法に沿って部分的に切削される。
【００２９】
図３では、熱電素子１およびアダプタプレート４を有する実施形態の熱除去用アセンブリを示す。図３に示すアセンブリは、図１および図２に示す装置の場合に配置される。
【００３０】
図３では、ペルチェ電池１は、アダプタプレート４とラジエータ５との間に配置される。ペルチェ電池１の冷面は、アダプタプレート４と接触しているが、固定されてなくてもよく、ケース内の装置を組み立てる際に製品２を受けるプレートに直接接触させてもよい。ペルチェ電池１の熱表面は、ラジエータ５に接触している。ラジエータ５は、熱伝導性材料（例えばアルミニウムまたは銅）によって構成される。ラジエータ５は、ペルチェ電池１の熱表面に接触する接触面と、ペルチェ電池によって伝導される熱を取り除くためにこの接触面に接続されるフィンを有する。さらに、ファン６は、ラジエータ５の放散能力を改善するために、前記フィンを換気することができる。装置の作動時にファン６を始動させることができる。例えば、図１および図２に示す装置のオン／オフボタン８によってファン６を制御してもよい。また、電子回路８ａによってファン６を制御してもよい。騒音を制限するために、温度が一定の閾値より高い場合にのみ、例えば、ペルチェ電池１の熱表面の温度センサから測定値を受信する電子回路８ａによってファンを始動することができる。ファン６は、ほぼ１ワットの低出力となるように選択される。この電力は、生じる騒音を制限しながら、ペルチェ電池によって生成される熱（数ワットの平均熱出力）を取り除くのに十分である。
【００３１】
本発明の第１の実施形態による装置は、以下のようにパーソナルケア製品の塗布に用いることができる。
【００３２】
パーソナルケア製品（例えば美容クリーム）は、冷却作用によって冷却してから処置される領域を塗布する必要がある。装置の受取プレート２上にあるマーク３の位置の薄層に、単一用量の製品を好ましくは均一に展開する。次に装置を始動するために、コントロールボタン８を作動させ、電流を熱電素子１に流すことによって、プレート２の領域３つまりパーソナルケア製品が展開されている領域を素早くかつ十分に冷却する。
【００３３】
また、装置の受取プレート２に製品を展開する前に装置を始動させてから、冷却面上に製品を展開してもよい。この場合、ペルチェ電池１は、展開される製品の冷却効果を確実にするために、数分間作動した状態が維持される。
【００３４】
本発明による装置は、温度の製品を受けるプレート２を５分未満で８℃未満に冷却することができる。具体的に、プレート２の下にあるペルチェ電池１の位置に対応するマーク領域３を、２分未満で５℃未満の温度に冷却することができる。したがって、展開されるパーソナルケア製品を素早く冷却すると、使用者は製品を収集して、処置される領域（例えば皮膚の一部、顔、手、胸）に塗布することができる。
【００３５】
本発明による装置の第２の実施形態を、図４〜６に示す。図１〜３に示すものと同一である構成要素は、同一の参照番号を有する。
【００３６】
図４は、本発明の第２の実施形態による蓋１１を有する冷蔵装置の斜視図である。上述のように、蓋１１には、鏡および温度表示素子１２を設けてもよい。ケース１０は、その上部外壁面を形成しているプレート２’を有し、このプレート２’は、押圧素子２０を受ける凹部を有する。実際、この第２の実施形態によれば、冷却される製品は、プレート２’に展開されていないが、押圧素子２０によって熱電素子に対して押圧される単一用量の柔軟性容器２１に配置される。図９は容器２１を詳しく示し、図５および図６は押圧素子をさらに詳しく示す。装置を使用しない場合、装置の空間要件を制限して、その輸送を容易にするために、プレート２’および押圧素子２０へと蓋１１を閉じることができる。上述のとおり、プレート２’は、ケース１０と同一の材料、例えば木もしくはプラスチックまたはステンレス鋼で作製されてもよい。記載していない実施形態の変形例によれば、凹部が全くないプレート２’の上に押圧素子２０を設置してもよい。この変形例によれば、ケース１０は、蓋を含まず、プレート２’から突出している押圧素子２０を受ける凹部を有する蓋を有する。
【００３７】
図４では、押圧素子２０を受けるプレート２’の凹部は、ケース１０の前端部に位置する。この構成は、以下に説明するように、冷却運転中に単一用量の容器２１の一端部を突出させることが望ましい場合に有利である。
【００３８】
また、図４には、柔軟性容器２１の位置決めピン４１を示す。図９に示すように、このピン４１は容器に設けられるロケータと協同する。図４では、押圧素子２０が、押し戻された位置にあり、ピン４１を解放して、その後部スピンドルを軸にして押圧素子２０を回転させることができる。
【００３９】
図５は、第２の実施形態による上方に開く蓋１１を有する装置のケース１０の横断面を示す。したがって、図５には、アダプタプレート４および熱除去用アセンブリ５、６との間に配置される熱電素子１を示す。熱除去用アセンブリは、図３に示すものであってよい。また、熱電素子１は、電子制御回路８ａおよび電源装置７に接続される。
【００４０】
また、図５には、連結した可動式プレートを含む押圧素子２０を示す。押圧素子２０は、装置で冷却される製品の単一用量の柔軟性容器２１を配置させるために上方に開き、アダプタプレート４に対して容器を押圧するために閉じられる。したがって、柔軟性容器２１への押圧する手段２０は、冷却される単一用量の製品と熱電素子１を熱接触させる手段からなる。図６は、図５のＡで示す部品を示す。押圧素子２０は、回転することによって熱電素子１が冷却する領域に接近できるように、スピンドル２５に取り付けられる。容器２１は、アダプタプレート４に面しているケース１０のプレート２’に配置され、このアダプタプレート４は、一定の熱慣性を確実にし、電子回路８ａに接続される温度センサ９を一体化することができる。また、熱電素子１の冷面に対して、容器２１を直接押圧することができる。
【００４１】
また、図６には、容器２１に収容される製品の冷却を開始するスイッチ８’を示す。また、このスイッチ８’は、アダプタプレート４に対して柔軟性容器２１を押圧するために押圧素子２０を閉じると作動する。スイッチ８’は、電子回路８ａを制御することができる。変形例によれば、柔軟性容器２１を位置決めするピン４１は、柔軟性容器２１を押圧するために押圧素子２０を閉じると製品の冷却を開始するスイッチとして用いることができる。
【００４２】
図６に示す実施形態によって、押圧素子２０は、それ自体の重量によって押圧する効果を確実にするために、高密度材料で少なくとも部分的に構成される可動式押圧プレート２２を含む。この可動式プレート２２は、Ｌ字状のハウジング内のスピンドル２５に連結されている。したがって、可動式プレート２２は、スピンドルを軸にして回転し、押し戻された位置（図４）または水平前方に押された位置（図５および６）にすることができる。冷蔵された製品から加圧プレート２２への熱放散を制限するために、押圧素子の内面に、絶縁層２３を設けてもよい。したがって、絶縁層２３は、前記プレート２２および押圧された柔軟性容器２１との間に配置されるために、連結した可動式プレート２２の下に設置される。図５および図６では、柔軟性容器２１上でそれ自体の重量によって均一な圧力を確実にするように、押圧素子２０の可動式プレート２２は、前方に押された位置で閉じると前記ピンを受ける孔を収容するため、容器２１の位置決めピン４１を視認することができない。
【００４３】
記載していない実施形態によれば、第２の熱電素子を押圧素子２０の内面に一体化してもよい。さらに、柔軟性容器２１は、２つの熱電素子の間に挟持されている。また、押圧素子２０は、可動式プレート２２、絶縁層２３および第２の熱電素子を含む。
【００４４】
また、図６は、押圧素子の絶縁層２３に配置される温度センサ１３を示し、センサ１３の測定面は、冷却される製品の容器２１と接触する。センサ１３の測定値の信頼性を改善するために、特に、センサに面する容器２１に気泡が存在する場合、薄い導電プレート２４を絶縁層２３に追加してもよい。このプレート２４（例えば０．５ｍｍのアルミニウム製）は、過剰の熱容量を加えずに、センサの表面より広い領域にわたって製品の温度を均一化することができる。さらに、温度センサ１３は、絶縁層２３と導電プレート２４との間に配置される。上記のように、第２の熱電素子が押圧素子２０に設けられる場合、導電プレート２４は、ほぼ３ｍｍまたは４ｍｍまでを厚くすることができ、第２の熱電素子と冷却される柔軟性容器との間のアダプタプレートとして用いることができる。また、温度センサ１３は、伝導性のアダプタプレート２４に配置される。
【００４５】
センサ１３の温度測定値を蓋１１の表示素子１２に示してもよい。この測定値によって、容器２１内の製品を使用する前に確実に冷却することができる。製品が容器２１内で凍結することを防ぐため、熱電素子の作動を制御する電子制御回路８ａによって、センサ９の温度測定値を用いてもよい。
【００４６】
絶縁層２３（選択的に導電プレート２４によって覆われる）の寸法は、冷却される製品の単一用量の容器２１の寸法と実質的に同じである。加圧プレート２２は、スピンドル２５のハウジングを調節するためにわずかに大きくかつ長く、柔軟性容器２１上の均一な圧力を確実にするために少し幅が広い。
【００４７】
図９は、図４〜６の装置によって用いられる単一用量の柔軟性容器２１を示す。
【００４８】
単一用量の容器２１は、首部２７を有する袋部２６を区切るように周囲で熱融着される２つの実質的に矩形の軟質シートによって構成される。容器２１の袋部２６は、冷却効果（例えば化粧品または皮膚治療用製品）によって活性化させる必要がある単一用量のパーソナルケア製品で満たされる。袋部２６の容積としては、例えば２〜８ｍｌが挙げられる。
【００４９】
首部２７は、容器２１の長さ以内で袋部の延長部に延び、その延長部は、後述するように装置の押圧する手段から突出するために比較的長い。実際、これは、本発明による冷却装置の押圧する手段内に袋部を保持しながら、製品を袋部２６から取り出すために首部２７を破るか、切ろうとするためのものである。したがって、首部２７は、ケース１０の端部の開口を妨げずに接近できることが必要である。
【００５０】
押圧する手段２０と熱電素子１との間に柔軟性容器２１を容易に位置決めするために、容器２１は少なくとも１つのロケータ４０を有する。記載する実施形態によれば、容器２１は、首部２７の両側に熱融着されたシートに開けられた２つの孔によって構成される２つのロケータ４０を有する。このロケータ孔４０は、冷却装置のケース１０に設けられるピン４１上への留めるためのものである。複数用量の製品を冷却する最適な熱的結合および優れた効果を得るために、ピン４１と組み合わせたこのロケータ４０の正確な位置によって、熱電素子の上に位置する袋部２６を有する容器２１の位置を決めることができる。
【００５１】
さらに、首部２７で開口を容易にするために、少なくとも１つのノッチ２８が、熱融着されたシートの一端部に設けられている。ノッチ２８の延長部によって首部２７を切る。つまり、装置の押圧する手段２０および／またはケースのピン４１に留めるロケータ４０によって袋部２６を静止して保持させながら、使用者が容器２１の端部をつまんで上方に引っぱると、容器の幅方向にノッチ２８の延長部の熱融着された薄片が破れて首部２７が開口される。
【００５２】
本発明の第２の実施形態による装置は、以下のようにパーソナルケア製品の塗布に用いることができる。
【００５３】
熱電素子１（選択的にアダプタプレート４を介して）と接触し、ケース１０の端部から突出する首部２７を有する袋部２６を備える図４〜６の装置に、単一用量の柔軟性容器２１を配置する。次に、押圧素子２０は、熱電素子１に対して袋部２６の中身を均一に押圧するために袋部２６上に閉じる。同時に、押圧素子２０の突起部によって、スイッチ８’が作動し、電流が熱電素子１を流れることによって、圧縮袋部２６のパーソナルケア製品を素早くかつ十分に冷却する。また、装置は、図１および図２に示す押ボタン８または容器２１を配置するピン４１に接続するスイッチによって始動することができる。
【００５４】
本発明の本実施形態による装置は、袋部２６の中身を２分未満で５℃未満の温度に冷却することができる。温度表示素子１２によって製品が所望の温度に達したことが示されたら、首部２７をはさみで切るか、ノッチ２８から引っぱって破る。首部２７が押圧素子から突出しているため、冷蔵領域から袋部２６を取り除かずに切るまたは破ることができることから、パーソナルケア製品は、使用時間中冷蔵された状態である。
【００５５】
本発明による装置の第３の実施形態を、図７および図８に示す。他の図に示す構成要素と同じ要素には、同じ符号が付与される。
【００５６】
図７は、本発明の第３の実施形態による蓋のない冷蔵装置の斜視図である。ケース１０は、その側壁面のうちの１つに位置して単一用量の柔軟性容器２１を受けるスロット２９を有する。図９に示す種類の容器は、第３の実施形態の構造内で用いてもよい。
【００５７】
図７では、スロット２９が、装置内のケース１０の前壁面中央に実質的に位置するが、別場所に位置してもよい。ケースの上壁面に、温度表示素子１２（図示せず）を一体化させてもよい。また図７では、ケースの上壁面から突出したレバー３０を示し、装置が蓋を備える場合はレバー３０を格納してもよく、レバー３０は、ケース１０の他の壁面から突出させてもよい。図８は、このレバーの機能を示す。
【００５８】
図８は、第３の実施形態による上方に開く蓋１１を有する装置のケース１０の横断面を示す。したがって、図８は、互いに実質的に平行して延びる冷面を有して対向して配置される一対の熱電素子１および１ａを示し、熱電素子１、１ａの冷面間の間隙は、柔軟性容器２１を受けるためのものである。各熱電素子１および１ａは、熱除去用アセンブリ５、６に配置され、電子制御回路および電源装置（図示せず）にそれぞれ接続される。オン／オフコントロールボタン（図示せず）は、図２に示す電子回路のスイッチを作動するために、ケース１０の壁面にも設けられている。熱除去用アセンブリは、図３に示すものであってよい。
【００５９】
また、図８には、熱電素子１、１ａの各冷面に配置されるアダプタプレート４、４ａを示す。図２に示すように、このようなアダプタプレート４、４ａは、一定の熱慣性を確実にし、電子回路に接続する温度センサ９、９ａをそれぞれ一体化してもよい。また、熱電素子１、１ａの冷面の間に容器２１を直接押圧してもよい。
【００６０】
また、図８には、熱電素子１ａのうちの１つを他の熱電素子１の方へ押すばね３１を示す。具体的に、そのばねは、他のアダプタプレート４の方へアダプタプレート４ａの１つを押す。したがって、アダプタプレート４ａは、可動式押圧する手段プレートを構成し、前記押圧する手段は、第２の熱電素子１ａを含む。レバー３０は、アダプタプレート４、４ａを移動させて離すためにばね３１を動かし、単一用量の柔軟性容器２１を受けるためにスロット２９に面する空間を解放することができる。したがって、アダプタプレート４、４ａは、スロット２９の壁面を形成する。
【００６１】
一実施形態（図示せず）によれば、単一の熱電素子１を設けてもよく、ばね３１は、前記熱電素子の方へ図６に示す種類の可動式プレートを押圧する。したがって、ばね３１は、冷却される単一用量の製品を熱電素子１と熱接触させる柔軟性容器２１を押圧する手段である要素からなる。
【００６２】
本発明の第３の実施形態による装置は、以下のようにパーソナルケア製品の塗布に用いることができる。
【００６３】
レバー３０は、熱電素子１、１ａを互い移動させて離してケース１０のスロット２９を開けるために作動する。次に、図７および８の装置に、スロット２９に滑動する袋部２６と外側の方へ突出している首部２７を有する単一用量の柔軟性容器２１を配置する。次に、レバー３０を解放して袋部２６を挟持する。使用者が押ボタンを押すと、電流が熱電素子１および１ａを流れることから、圧縮袋部２６のパーソナルケア製品を素早くかつ十分に冷却する。
【００６４】
本発明の本実施形態による装置は、袋部２６の中身を２分未満で５℃未満の温度に冷却することができる。製品が所望の温度に達したことを温度表示素子が示すときまたは所定時間後に、スロットから容器２１を取り除くためにレバー３０を作動させ、冷却された製品を収集するために、容器の首部２７を切るまたは破ってもよい。また、熱電素子の間に圧縮された状態で袋部２６を取り除かずに首部２７を開けてもよい。実際、首部２７がスロット２９から突出しているため、冷蔵領域から容器２１を取り除かずに切るまたは破ることができる。
【００６５】
図１および図２に示すように、製品２を受けるプレートに対して手動で柔軟性容器２１を押圧することによって、容器２１に収容される単一用量のパーソナルケア製品を冷却してもよく、その後首部２７を切るまたは破ることによって、パーソナルケア製品を手動で取り出し、処置される領域に塗布することが理解される。
【００６６】
本発明による装置の第４の実施形態を図１０に示す。他の図に示す構成要素と同じ要素には、同じ符号が付与される。
【００６７】
図１０は、本発明の第４の実施形態による装置の詳細図である。したがって、図１０には、アダプタプレート４と例えば図３に示す種類の熱除去用アセンブリ５との間に配置される熱電素子１を示す。また、図１０には、図５および図６に示す押圧素子２０を示す。この第４の実施形態によれば、アダプタプレート４は、冷却される製品を収容する管５１を受けるために成形される。図１０では、管５１の横断面が円形であることを示しているが、楕円形あってもよいことは理解される。アダプタプレート４は、管５１を受け、管５１の壁面との熱接触面が最大となることを確実にする凹部によって成形される。実際、アダプタプレート４は、熱電素子１と冷却される製品との間の熱伝導を確実にする。したがって、製品の急速冷却を確実にするために、アダプタプレート４と管５１の壁面との間の交換面は最大となる。押圧素子２０は、装置で冷却される製品の管５１を配置させるために上方に開き、アダプタプレート４に対して管５１を押圧するために閉じられる。したがって、押圧する手段２０は、冷却される単一用量の製品を熱電素子１と熱接触させる手段からなる。
【００６８】
図１１は、図１０の装置とともに用いられる管５１の形状である単一用量の容器を示す。
【００６９】
管５１は、金属（好ましくはアルミニウム）製である。実際、アルミニウムは、優れた熱導体である。したがって、管の半円周のみが冷却されたアダプタプレートと熱接触した状態であっても、管全体が素早く冷却される。管の全円周を良好に冷却することを確実にするため、管５１の壁面は比較的厚い（０．４ｍｍより大きい）。第２の実施形態に記載されるとおり、押圧する手段２０が第２の熱電素子を含む場合は、金属チューブ５１の壁面を薄くすることができる。
【００７０】
一実施形態によれば、管５１は、冷却される製品を収容する実質的に円筒体である。管５１には、ほぼ２〜８ｍｌのパーソナルケア製品を収容することができる。管の１つの端部はストッパー５２によって密閉され、もう１つの端部はピストン５３によって密閉される。ストッパー５２は、ねじられた封止終端片を含んでもよく、分割できる終端片５４を含んでもよい。記載していない実施形態では、密閉した終端片は、管の壁面と連続する非封止面を含んでもよい。
【００７１】
本発明の第４の実施形態による装置は、以下のようにパーソナルケア製品の塗布に用いることができる。
【００７２】
単一用量の容器５１は、アダプタプレート４の凹部に収容される管５１を有する図１０の装置内に配置される。押圧素子２０は、プレート４のハウジングに押圧し、熱電素子１による熱伝導が最大となることを確実にするために、管５１上に閉じられる。本実施形態では、単一用量の容器の挿入によってプレート４の熱慣性が増大する前に、アダプタプレート４を冷却することができる。したがって、装置は、図１および図２に示す押ボタンによって挿入の数分前に始動してもよい。
【００７３】
本発明の本実施形態による装置は、２分未満で５℃未満の温度に管５１の中身を冷却することができる。製品が冷却される（例えば、温度表示素子１２によって製品が所望の温度に達したことが示される）と、ストッパー５２が開く（例えば分割できる終端片５４が破られる）。その後、ピストン５３は、冷却されたパーソナルケア製品を管から取り出すために作動する。例えば、ピストン５３を作動するために、装置（図示せず）に一体化されるロッドを押下してもよい。この可動式ロッドは、モーターまたは手動レバーによって作動することができる。図６に示すように、ストッパー５２を含む管の端部は押圧素子から突き出させることができるため、冷蔵領域から取り除かずに管５１を開けることができる。このように、パーソナルケア製品は、その使用中は冷蔵された状態である。管５１をアダプタプレートの凹部から取り除いてもよく、ピストン５３は装置の外側で手動作動させてもよい。
【００７４】
本発明による装置は、どの実施形態が選択されても、冷却効果によって活性化されるパーソナルケア製品の特定の特性を少量の製品用に、かつ、繰り返して利用することができる。さらに、本発明による装置は、自冷容器であれば単一の製品に限定されず、複数用量のさまざまな製品（袋部内のまたは袋部内にはない）のために連続して用いることができる。
【００７５】
通常、装置は、ケース１０および蓋１１を有する箱に類似しているが、他の幾何学形状の箱について想定できるものと理解される。本発明による装置の空間要件は、冷蔵庫よりも最小化され、小型化されため、容易に移動させることができる。
【図面の簡単な説明】
【００７６】
【図１】本発明の第１の実施形態による冷蔵装置の斜視図である。
【図２】図１の装置の横断面図である。
【図３】本発明による装置の冷蔵素子および熱除去用アセンブリの詳細図である。
【図４】本発明の第２の実施形態による冷蔵装置の斜視図である。
【図５】図４の装置の横断面図である。
【図６】図５の押圧素子の詳細Ａを示す図である。
【図７】本発明の第３の実施形態による冷蔵装置の斜視図である。
【図８】図７の装置の横断面図である。
【図９】本発明の第２の実施形態または第３の実施形態による装置で冷却される単一用量のパーソナルケア製品の容器を示す図である。
【図１０】本発明の第４の実施形態による冷蔵装置の一部の横断面図である。
【図１１】本発明の第４の実施形態による装置で冷却される単一用量のパーソナルケア製品の容器を示す図である。
【図１】
2009507204.tif 000003
【図２】
2009507204.tif 000004
【図３】
2009507204.tif 000005
【図４】
2009507204.tif 000006
【図５】
2009507204.tif 000007
【図６】
2009507204.tif 000008
【図７】
2009507204.tif 000009
【図８】
2009507204.tif 000010
【図９】
2009507204.tif 000011
【図１０】
2009507204.tif 000012
【図１１】
2009507204.tif 000013
【手続補正書】
【提出日】平成20年4月30日(2008.4.30)
【手続補正１】
【補正対象書類名】特許請求の範囲
【補正対象項目名】全文
【補正方法】変更
【補正の内容】
【特許請求の範囲】
【請求項１】
パーソナルケア製品用の可搬式冷蔵装置であって、
少なくとも１つの熱電素子（１、１ａ）と、
前記熱電素子で冷却される単一用量の製品を熱接触（２、２０、３１）させる手段とを含む可搬式冷蔵装置。
【請求項２】
前記熱接触させる手段は、前記熱電素子に対して前記単一用量の製品を収容する容器（２１、５１）を押圧する手段（２０、３１）を含むことを特徴とする、請求項１に記載の可搬式冷蔵装置。
【請求項３】
前記熱電素子（１）は、前記容器（２１）の前記単一用量の製品を２分未満で５℃未満の温度に冷却することに適していることを特徴とする、請求項２に記載の可搬式冷蔵装置。
【請求項４】
前記熱電素子（１）の冷面に配置されるアダプタプレート（４）を含むことを特徴とする、請求項１〜３のいずれか１項に記載の可搬式冷蔵装置。
【請求項５】
前記アダプタプレート（４）は、温度センサ（９）を含むことを特徴とする、請求項４に記載の可搬式冷蔵装置。
【請求項６】
冷却素子の熱表面との接触面を形成するプレートに接続されるフィンを含むラジエータ（５）と、前記フィンを換気することに適したファン（６）を含む熱除去用アセンブリをさらに含むことを特徴とする、請求項１〜５のいずれか１項に記載の可搬式冷蔵装置。
【請求項７】
前記熱電素子（１）に接続される充電式電池電源装置（７）を含むことを特徴とする、請求項１〜６のいずれか１項に記載の可搬式冷蔵装置。
【請求項８】
前記押圧する手段（２０）は、前記容器（２１）に圧力をかけることに適した可動式プレート（２２）を含むことを特徴とする、請求項２に記載の可搬式冷蔵装置。
【請求項９】
前記可動式プレート（２２）は、それ自体の重量によって前記容器（２１）に圧力かけることに適していることを特徴とする、請求項８に記載の可搬式冷蔵装置。
【請求項１０】
前記可動式プレートは、ばね（３１）の動作によって前記容器（２１）に圧力をかけることに適していることを特徴とする、請求項８に記載の可搬式冷蔵装置。
【請求項１１】
前記熱電素子（１）から前記押圧する手段（２０）を移動させて離すことに適したレバー（３０）をさらに含むことを特徴とする、請求項１０に記載の可搬式冷蔵装置。
【請求項１２】
前記押圧する手段（２０）は、前記可動式プレート（２２）の下に絶縁層（２３）をさらに含むことを特徴とする、請求項８〜１１のいずれか１項に記載の可搬式冷蔵装置。
【請求項１３】
前記押圧する手段（２０）は、前記容器（２１）と接触して配置されることに適した温度センサ（１３）をさらに含むことを特徴とする、請求項８〜１２のいずれか１項に記載の可搬式冷蔵装置。
【請求項１４】
前記押圧する手段（２０）は、前記容器（２１）と接触して配置されることに適した伝導プレート（２４）をさらに含むことを特徴とする、請求項８〜１３のいずれか１項に記載の可搬式冷蔵装置。
【請求項１５】
前記押圧する手段（２０）は、第２の熱電素子（１ａ）をさらに含むことを特徴とする、請求項２〜１４のいずれか１項に記載の可搬式冷蔵装置。
【国際調査報告】
2009507204.tif 000014
2009507204.tif 000015
2009507204.tif 000016
2009507204.tif 000017
2009507204.tif 000018
2009507204.tif 000019
2009507204.tif 000020
2009507204.tif 000021
2009507204.tif 000022
2009507204.tif 000023